【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
２つの回転するプーリ（１，２）の間の機械的動力の伝達のための、周方向で可撓性の駆動ベルト（２０）であって、該駆動ベルト（２０）に、引張り部材（３１）と、該引張り部材に設けられておりかつ互いに半径方向外方へ拡開する、プーリ（１，２）と摩擦接触するための２つの側面（２３）を有する多数の横断部材（４０）とが設けられている形式のものにおいて、前記引張り部材（３１）が、駆動ベルト（２０）の周方向で自立型の、平坦で薄いリングを含むことを特徴とする、駆動ベルト（２０）。
【請求項２】
引張り部材（３１）が、１つのリングのみによって形成されている、請求項１記載の駆動ベルト（２０）。
【請求項３】
駆動ベルト（２０）の周方向で、２つの横断部材（４０）の間に、スペーサ（３５）が設けられている、請求項１又は２記載の駆動ベルト（２０）。
【請求項４】
スペーサ（３５）の軸方向寸法が、横断部材（４０）の軸方向寸法よりも小さい、請求項３記載の駆動ベルト（２０）。
【請求項５】
スペーサ（３５）が、引張り部材の断面図で見て、引張り部材（３１）の周囲に取り付けられている、請求項３又は４記載の駆動ベルト（２０）。
【請求項６】
スペーサ（３５）が引張り部材（３１）に固定されている、請求項３から５までのいずれか１項記載の駆動ベルト（２０）。
【請求項７】
スペーサ（３５）が、引張り部材（３１）を完全に包囲する中間部材（３６）の一部であり、スペーサ（３５）が、中間部材（３６）の局所的な半径方向の突出部又は厚み増大部として形成されている、請求項５又は６記載の駆動ベルト（２０）。
【請求項８】
スペーサ（３５）が、エラストマプラスチック又はプラスチック複合物から形成されている、請求項３から７までのいずれか１項記載の駆動ベルト（２０）。
【請求項９】
スペーサ（３５）が、引張り部材の局所的な半径方向の突出部又は厚み増大部として、引張り部材と一体的に形成されている、請求項３又は４記載の駆動ベルト（２０）。
【請求項１０】
横断部材（４０）に、周方向で一定の寸法が設けられている、請求項１から９までのいずれか１項記載の駆動ベルト（２０）。
【請求項１１】
横断部材（４０）が、該横断部材と引張り部材（３１）との間に提供された接着剤（３７）によって前記引張り部材（３１）に固定されている、請求項１から１０までのいずれか１項記載の駆動ベルト（２０）。
【請求項１２】
接着剤（３７）が、引張り部材（３１）を完全に包囲する被覆層をも形成している、請求項１１記載の駆動ベルト（２０）。
【請求項１３】
駆動ベルト（２０）に、少なくとも２つのタイプの横断部材（４０；４０ａ；４０ｂ）が設けられており、第１のタイプの横断部材（４０ａ）が、引張り部材（３１）の半径方向外側において該引張り部材（３１）に固定されており、第２のタイプの横断部材（４０ｂ）が、引張り部材（３１）の半径方向内側において該引張り部材（３１）に固定されている、請求項１１又は１２記載の駆動ベルト（２０）。
【請求項１４】
２つのタイプの横断部材（４０；４０ａ；４０ｂ）が、両方とも、正面図で見て実質的に台形である、請求項１３記載の駆動ベルト（２０）。
【請求項１５】
引張り部材（３１）の半径方向外側に位置する横断部材（４０）の上側（４３）に、周方向で一定の寸法が設けられており、引張り部材（３１）の半径方向内側に位置する横断部材（４０）の下側（４４）が、半径方向内方へテーパしている、請求項１から１４までのいずれか１項記載の駆動ベルト（２０）。
【請求項１６】
横断部材（４０）が、引張り部材（３１）の周に沿って可動であるように該引張り部材（３１）に取り付けられており、横断部材（４０）に、該横断部材の主面（４１，４２）に、前記上側（４３）と前記下側（４４）との間において移行縁部（４５）が設けられており、該移行縁部が、半径方向で見て、引張り部材（３１）の半径方向位置と一致する、請求項１５記載の駆動ベルト（２０）。
【請求項１７】
横断部材（４０）が、開放空間若しくは凹所（４６）を形成しており、該開放空間若しくは凹所に、引張り部材（３１）が収容されており、凹所（４６）が、少なくとも両方の軸方向及び半径方向内側又は半径方向外側において閉鎖されている、請求項１から１６までのいずれか１項記載の駆動ベルト（２０）。
【請求項１８】
横断部材（４０）が、個々の残りの半径方向においても前記凹所（４６）を部分的に閉鎖している、請求項１７記載の駆動ベルト（２０）。
【請求項１９】
横断部材（４０）によって決定された前記凹所（４６）の周が、引張り部材（３１）又は引張り部材（３１）の周囲に設けられた中間部材（３６）の断面の外周に対応する、請求項１８記載の駆動ベルト（２０）。
【請求項２０】
引張り部材（３１）が、中間部材（３６）によって包囲されており、前記凹所（４６）の軸方向幅寸法及び／又は半径方向高さ寸法が、横断部材（４０）の位置における中間部材（３６）の断面の外周の寸法よりも小さく、横断部材（４０）から別個に測定されるならば、引張り部材（３１）の断面の外周の個々の寸法に等しいか又は該寸法よりも大きい、請求項１８又は１９記載の駆動ベルト（２０）。
【請求項２１】
前記凹所（４６）の周、又は引張り部材（３１）の断面、又は中間部材（３６）の断面が、細長くかつ矩形である、請求項１８から２０までのいずれか１項記載の駆動ベルト（２０）。
【請求項２２】
引張り部材（３１）が前記空間に収容されることを可能にするために、横断部材（４０）に、横断部材（４０）の外周と前記凹所（４６）との間に間隙（４９）が設けられている、請求項１８から２１までのいずれか１項記載の駆動ベルト（２０）。
【請求項２３】
間隙（４９）が、栓（５０，５１）、硬化された液状充填材（３８）、又は接着剤（３７）によって充填されている、請求項２２記載の駆動ベルト（２０）。
【請求項２４】
間隙（４９）が、横断部材（４０）の半径方向内側又は外側に設けられており、前記間隙が、駆動ベルト（２０）の運転中に横断部材（４０）にプーリ（１，２）によって加えられる力によって閉鎖させられる、請求項２２又は２３記載の駆動ベルト（２０）。
【請求項２５】
横断部材（４０）の境界面（４７，４８）が、横断部材の半径方向内側及び外側において、凹面状に湾曲させられている、請求項１７から２４までのいずれか１項記載の駆動ベルト（２０）。
【請求項２６】
前記凹所（４６）が、栓（５０，５１）、硬化された液状充填材（３８）、又は接着剤（３７）によって、個々の残りの半径方向において閉鎖されている、請求項１７記載の駆動ベルト（２０）。
【請求項２７】
栓（５０，５１）及び充填材（３８）の軸方向端面（５２）と、該軸方向端面に作用する横断部材（４０）の締付け面とが、前記凹所（４６）から見て、半径方向に互いに集束している、請求項２６記載の駆動ベルト（２０）。
【請求項２８】
プーリ（１，２）と摩擦接触するための、横断部材（４０）の側面（２３）が、横断部材（４０）の半径方向内側面若しくは下面（４８）と、引張り部材（３１）との間において半径方向に延びている、請求項１から２７までのいずれか１項記載の駆動ベルト（２０）。
【請求項２９】
プーリ（１，２）と摩擦接触するための、横断部材（４０）の側面（２３）が、凹んだ部分（５３；５４）を有しており、該凹んだ部分の位置において、走行面が、プーリ（１，２）のプーリシーブと接触しない、請求項１から２８までのいずれか１項記載の駆動ベルト。
【請求項３０】
側面（２３）の凹んだ部分（５３；５４）が、１つ又は２つ以上の、接線方向に向けられた溝（５３）を含み、溝の１つが、引張り部材（３１）の半径方向高さに、側面（２３）に設けられている、請求項２９記載の駆動ベルト（２０）。
【請求項３１】
側面（２３）の凹んだ部分（５３；５４）が、多数の、半径方向に向けられた溝（５４）を含む、請求項２９又は３０記載の駆動ベルト（２０）。
【請求項３２】
横断部材（４０）に、該横断部材の軸方向剛性を増大するための強化部材（５５）が設けられている、請求項１から３１までのいずれか１項記載の駆動ベルト（２０）。
【請求項３３】
強化部材（５５）が、引張り部材（３１）よりも半径方向内側に配置されている、請求項３２記載の駆動ベルト（２０）。
【請求項３４】
強化部材（５５）が、横断部材（４０）の軸方向幅全体に亘って延びており、プーリ（１，２）のプーリシーブと摩擦接触するようになっている、請求項３２又は３３記載の駆動ベルト（２０）。
【請求項３５】
強化部材（５５）が、金属から形成されておりかつ被覆層を設けられている、請求項３４記載の駆動ベルト（２０）。
【請求項３６】
強化部材（５５）が、１つ又は２つ以上の、円筒状の横断ピン（５５）を含む、請求項３２から３５までのいずれか１項記載の駆動ベルト（２０）。
【請求項３７】
横断部材（４０）の側面（２３）の間の幾何学的角度が、半径方向外方に増大している、請求項１から３６までのいずれか１項記載の駆動ベルト（２０）。
【請求項３８】
横断部材（４０）の側面（２３）の間の幾何学的角度が、プーリ（１，２）のプーリシーブの間に規定された幾何学的角度よりも大きい、請求項１から３７までのいずれか１項記載の駆動ベルト（２０）。
【請求項３９】
横断部材（４０）が、ガラス繊維強化ポリアミド又は炭素繊維強化ポリアミドから形成されている、請求項１から３８までのいずれか１項記載の駆動ベルト（２０）。
【請求項４０】
横断部材（４０）の少なくとも側面（２３）に、耐摩耗性及び／又は牽引力増大性の被覆層が設けられている、請求項１から３９までのいずれか１項記載の駆動ベルト（２０）。
【請求項４１】
引張り部材（３１）が、金属から形成されている、請求項１から４０までのいずれか１項記載の駆動ベルト（２０）。
【請求項４２】
引張り部材（３１）に、金属酸化物スキン、ＤＬＣ（ダイヤモンド状炭素）塗膜、又はテフロン塗膜等の、耐腐食性被覆層が設けられている、請求項１から４１までのいずれか１項記載の駆動ベルト。
【請求項４３】
引張り部材（３１）及び／又は引張り部材の横断部材（４０）が、エラストマプラスチック又はプラスチック複合物から形成された中間部材（３６）に埋設されているか、又は該中間部材（３６）によって完全に包囲されている、請求項１から４１までのいずれか１項記載の駆動ベルト（２０）。
【請求項４４】
引張り部材（３１）の、半径方向に向けられた主側に、１つ又は２つ以上の溝が設けられている、請求項１から４３までのいずれか１項記載の駆動ベルト（２０）。
【請求項４５】
引張り部材（３１）の、半径方向に向けられた主側に、１つ又は２つ以上の軸方向に向けられた溝が設けられている、請求項４４記載の駆動ベルト（２０）。